(57)【要約】【課題】複数の管理対象装置の監視制御において、管理対象装置の設定情報を一元管理でき、管理対象装置の一般的な設定情報のバックアップ又はリストア作業を効率化できる設定情報管理システムを提供する。【解決手段】第一の設定情報を保持する第一の記憶手段と、他の装置との間で第一の設定情報を共有する第一のファイル共有手段と、第一の設定情報をコピーして生成した第二の設定情報を保持し、第一の設定情報との間、又は、他の装置が保持する第三の設定情報との間で、設定情報の同期を行う第二の記憶手段と、を含む管理装置と、第三の設定情報を保持する第三の記憶手段と、管理装置との間で第三の設定情報を共有する第二のファイル共有手段と、第三の設定情報をコピーして生成した第四の設定情報を保持し、第四の設定情報と第三の設定情報との同期、又は、第四の設定情報と第一の設定情報との同期を行う第四の記憶手段と、を含む管理対象装置と、を備える。【選択図】      図１
2014082712.tif 000002
【特許請求の範囲】
【請求項１】
第一の設定情報を保持する第一の記憶手段と、
他の装置との間で前記第一の設定情報を共有する第一のファイル共有手段と、
前記第一の設定情報をコピーして生成した第二の設定情報を保持し、前記第一の設定情報との間、又は、前記他の装置が保持する第三の設定情報との間で、設定情報の同期を行う第二の記憶手段と、
を含む設定情報管理装置と、
前記第三の設定情報を保持する第三の記憶手段と、
前記設定情報管理装置との間で前記第三の設定情報を共有する第二のファイル共有手段と、
前記第三の設定情報をコピーして生成した第四の設定情報を保持し、前記第四の設定情報と前記第三の設定情報との同期、又は、前記第四の設定情報と前記第一の設定情報との同期を行う第四の記憶手段と、
を含む管理対象装置と、
を備え、
前記他の装置が前記管理対象装置である、
ことを特徴とする管理システム。
【請求項２】
更に、前記設定情報管理装置が、
前記第一の設定情報の更新要求を受信し、前記第一の設定情報及び前記第二の設定情報の更新を前記第二の記憶手段に要求し、前記第三の設定情報の更新要求を送信する第一の制御手段、
を含み、
前記管理対象装置が、
前記第三の設定情報の更新要求を受信し、前記第三の設定情報及び前記第四の設定情報の更新を前記第四の記憶手段に要求し、前記第四の設定情報に従い設定を更新する第二の制御手段、
を含む請求項１に記載の管理システム。
【請求項３】
更に、前記管理対象装置が、
前記第三の設定情報及び前記第四の設定情報の更新を前記第四の記憶手段に要求し、前記第四の設定情報に従い前記管理対象装置の設定を更新する第二の制御手段、
を含む請求項１又は２に記載の管理システム。
【請求項４】
更に、前記設定情報管理装置が、
前記第一の設定情報及び前記第二の設定情報の更新を前記第二の記憶手段に要求する第一の制御手段、
を含む請求項１乃至３のいずれかに記載の管理システム。
【請求項５】
更に、前記管理対象装置の第三の記憶手段が、記憶保持に電源が必要な記憶媒体を用いる、
請求項１乃至４のいずれかに記載の管理システム。
【請求項６】
第一の設定情報を保持する第一の記憶手段と、
他の装置との間で前記第一の設定情報を共有する第一のファイル共有手段と、
前記第一の設定情報をコピーして生成した第二の設定情報を保持し、前記第一の設定情報との間、又は、前記他の装置が保持する第三の設定情報との間で、設定情報の同期を行う第二の記憶手段と、
を備えることを特徴とする設定情報管理装置。
【請求項７】
第一の設定情報を保持する第一の記憶手段と、他の装置との間で前記第一の設定情報を共有する第一のファイル共有手段と、前記第一の設定情報をコピーして生成した第二の設定情報を保持し、前記第一の設定情報との間、又は、前記他の装置が保持する第三の設定情報との間で、設定情報の同期を行う第二の記憶手段と、を含む設定情報管理装置と接続され、
前記第三の設定情報を保持する第三の記憶手段と、
前記設定情報管理装置との間で前記第三の設定情報を共有する第二のファイル共有手段と、
前記第三の設定情報をコピーして生成した第四の設定情報を保持し、前記第四の設定情報と前記第三の設定情報との同期、又は、前記第四の設定情報と前記第一の設定情報との同期を行う第四の記憶手段と、
を備えたことを特徴とする管理対象装置。
【請求項８】
第一の設定情報を保持し、
第一の他の装置との間で前記第一の設定情報を共有し、
前記第一の設定情報をコピーして生成した第二の設定情報を保持し、前記第一の設定情報との間、又は、前記第一の他の装置が保持する第三の設定情報との間で、設定情報の同期を行い、
起動時に前記第一の設定情報及び前記第二の設定情報の更新を要求するか、又は、前記第一の設定情報の更新要求を受信し、
前記第三の設定情報を保持し、
第二の他の装置との間で前記第三の設定情報を共有し、
前記第三の設定情報をコピーして生成した第四の設定情報を保持し、前記第四の設定情報と前記第三の設定情報との同期、又は、前記第四の設定情報と前記第一の設定情報との同期を行うことを特徴とする設定情報管理方法。
【発明の詳細な説明】
【技術分野】
【０００１】
本発明は、設定情報管理システム、設定情報管理装置、管理対象装置、及び、設定情報管理方法に関する。
【背景技術】
【０００２】
光海底ケーブル等の波長多重伝送システムでは、トランスポンダの波長の異なる信号を多重化して、収容可能な通信トラフィックを増加させることができる。
【０００３】
警報信号に基づいて自動的にネットワークの設定変更を行う、波長多重伝送システムに対する設定情報管理システムの一例が、特許文献１に開示されている。特許文献１の設定情報管理システムは、１対（２台）以上の端局装置（回線終端装置、ＳＬＴＥ（Submarine Line Terminal Equipment））と、伝送路と、スイッチと、ネットワーク管理モジュールと、ネットワーク管理システムと、データベースとを備える。設定情報管理システムは、以下のように動作する。
【０００４】
端局装置は、伝送路上の複数の物理的接続をモニタし、障害が発生すると警報信号を発する。
【０００５】
ネットワーク管理システムは、ネットワーク管理モジュールに接続される。ネットワーク管理システムは、サービスプロビジョニング要求をモニタし、サービスプロビジョニング要求が発生すると、警報信号を発する。
【０００６】
伝送路は、端局装置間に接続される。スイッチは、端局装置に接続される。
【０００７】
ネットワーク管理モジュールは、端局装置、スイッチ、及び、ネットワーク管理システムに接続される。ネットワーク管理モジュールは、端局装置又はネットワーク管理システムから警報信号を受信すると、受信した警報信号とデータベースに格納された警報信号に対応した命令に基づいて、端局装置又はスイッチの設定変更を行う。
【０００８】
データベースは、スイッチに接続される。データベースは、障害からの回復計画又はサービスプロビジョニングに関する命令を格納する。
【０００９】
トランスポンダの受信波長に基づいて自動的に送信波長の設定変更を行う、波長多重伝送システムにおける端局装置（波長分割多重装置、ＷＤＭ（Wavelength Division Multiplexing）伝送装置）の一例が、特許文献２に開示されている。特許文献２の端局装置は、複数のトランスポンダと、波長分割多重部（ＷＤＭ部）と、トランスポンダの監視制御を行うトランスポンダ制御部と、波長分割多重部の監視制御を行うＷＤＭ制御部とを備える。端局装置は、以下のように動作する。
【００１０】
端局装置の各トランスポンダは、波長分割多重部から受信した受信光の波長を検出する。トランスポンダは、受信光の波長に基づいて、ＷＤＭ部へ送信する送信光の波長を自動的に設定変更する。トランスポンダは、波長分割多重部、トランスポンダ制御部、又は、ＷＤＭ制御部の機能によらず、トランスポンダ単独でＷＤＭ部へ送信する送信光の波長を自動的に設定変更できる。
【００１１】
優先度の高い通信における遅延を防止する、波長多重伝送システムにおける端局装置（光伝送装置）の一例が、特許文献３に開示されている。特許文献３の端局装置は、複数のトランスポンダ（トランスポンダユニット）と、波長多重分離部（合波器／分波器）と、トランスポンダの監視制御を行う監視制御部（中央監視ユニット）とを備える。端局装置は、以下のように動作する。
【００１２】
端局装置の監視制御部は、優先度の高い通信を集約する１個のトランスポンダ（集約トランスポンダ）を設定する。監視制御部は、優先度の低い通信を行う他のトランスポンダを設定する。優先度の高い通信については、集約トランスポンダが、他のトランスポンダを代行して行う。優先度の低い通信については、他のトランスポンダが、集約トランスポンダを代行して行う。
【先行技術文献】
【特許文献】
【００１３】
【特許文献１】特表２００５−５０２２３４号公報（第６−９ページ、図１Ａ−２Ｂ）
【特許文献２】特開２００７−０９７０６７号公報（第５−９ページ、図２、５）
【特許文献３】特開２００９−１５９２９４号公報（第５−９ページ、図１−８）
【発明の概要】
【発明が解決しようとする課題】
【００１４】
特許文献１に開示されている技術では、ネットワークの障害やサービスプロビジョニング要求の発生時に、ネットワークの設定を自動的に変更できる。しかし、自動的に変更できる設定は、トランスポンダの設定のうち、ネットワークの障害やサービスプロビジョニング要求に関連する設定に限定されており、トランスポンダの全般的な設定情報のバックアップ又はリストア作業を効率化できないという問題がある。
【００１５】
特許文献２に開示されている技術では、トランスポンダの受信光の波長に基づき、トランスポンダの送信光の波長を自動的に変更できる。しかし、自動的に変更できる設定は、トランスポンダの設定のうち、送信光の波長に関連する設定に限定されており、トランスポンダの全般的な設定情報のバックアップ又はリストア作業を効率化できないという問題がある。
【００１６】
特許文献３に開示されている技術では、通信の遅延を防止するための設定を自動化できる。しかし、自動的に変更できる設定は、トランスポンダの設定のうち、通信の遅延を防止するための設定に限定されており、トランスポンダの全般的な設定情報のバックアップ／リストア作業を効率化できないという問題がある。
【００１７】
以上のように、特許文献１―３に開示されている技術は、複数の管理対象装置の設定情報のバックアップを一元的に行う機能を備えていない。又、特許文献１―３に開示されている技術は、管理対象装置の特定機能の設定変更の自動化に係るものである。そのため、管理対象装置の設定情報の一元管理や、管理対象装置の一般的な設定情報のバックアップ又はリストア作業の効率化については考慮されていない。
【００１８】
本発明の目的は、複数の管理対象装置の監視制御において、管理対象装置の設定情報を一元管理でき、管理対象装置の一般的な設定情報のバックアップ又はリストア作業を効率化できる設定情報管理システム、設定情報管理装置、管理対象装置、及び、設定情報管理方法を提供することにある。
【課題を解決するための手段】
【００１９】
本発明の設定情報管理システムは、第一の設定情報を保持する第一の記憶手段と、他の装置との間で第一の設定情報を共有する第一のファイル共有手段と、第一の設定情報をコピーして生成した第二の設定情報を保持し、第一の設定情報との間、又は、他の装置が保持する第三の設定情報との間で、設定情報の同期を行う第二の記憶手段と、を含む設定情報管理装置と、第三の設定情報を保持する第三の記憶手段と、設定情報管理装置との間で第三の設定情報を共有する第二のファイル共有手段と、第三の設定情報をコピーして生成した第四の設定情報を保持し、第四の設定情報と第三の設定情報との同期、又は、第四の設定情報と第一の設定情報との同期を行う第四の記憶手段と、を含む管理対象装置と、を備え、他の装置が管理対象装置である、ことを特徴とする。
【００２０】
本発明の設定情報管理装置は、第一の設定情報を保持する第一の記憶手段と、他の装置との間で第一の設定情報を共有する第一のファイル共有手段と、第一の設定情報をコピーして生成した第二の設定情報を保持し、第一の設定情報との間、又は、他の装置が保持する第三の設定情報との間で、設定情報の同期を行う第二の記憶手段と、を備えることを特徴とする。
【００２１】
本発明の管理対象装置は、第一の設定情報を保持する第一の記憶手段と、他の装置との間で第一の設定情報を共有する第一のファイル共有手段と、第一の設定情報をコピーして生成した第二の設定情報を保持し、第一の設定情報との間、又は、他の装置が保持する第三の設定情報との間で、設定情報の同期を行う第二の記憶手段と、を含む設定情報管理装置と接続され、第三の設定情報を保持する第三の記憶手段と、設定情報管理装置との間で第三の設定情報を共有する第二のファイル共有手段と、第三の設定情報をコピーして生成した第四の設定情報を保持し、第四の設定情報と第三の設定情報との同期、又は、第四の設定情報と第一の設定情報との同期を行う第四の記憶手段と、を備えることを特徴とする。
【００２２】
本発明の監視方法は、第一の設定情報を保持し、第一の他の装置との間で第一の設定情報を共有し、第一の設定情報をコピーして生成した第二の設定情報を保持し、第一の設定情報との間、又は、第一の他の装置が保持する第三の設定情報との間で、設定情報の同期を行い、起動時に第一の設定情報及び第二の設定情報の更新を要求するか、又は、第一の設定情報の更新要求を受信し、第三の設定情報を保持し、第二の他の装置との間で第三の設定情報を共有し、第三の設定情報をコピーして生成した第四の設定情報を保持し、第四の設定情報と第三の設定情報との同期、又は、第四の設定情報と第一の設定情報との同期を行うことを特徴とする。
【発明の効果】
【００２３】
本発明によれば、複数の監視制御対象の監視制御において、管理対象装置の設定情報を一元管理でき、管理対象装置の一般的な設定情報のバックアップ又はリストア作業を効率化することが可能になる。
【図面の簡単な説明】
【００２４】
【図１】本発明の実施形態における設定情報管理システムの構成を示すブロック図である。
【図２】本発明の実施形態における設定情報管理システムの設定情報管理装置、及び、管理対象装置の、設定情報更新時の動作を説明するシーケンスチャートである。
【図３】本発明の実施形態における設定情報管理システムの設定情報管理装置、及び、管理対象装置の、管理対象装置の交換又は増設時の動作を説明するシーケンスチャートである。
【図４】本発明の実施形態における設定情報管理システムの設定情報管理装置、及び、管理対象装置の、設定情報管理装置の交換又は増設時の動作を説明するシーケンスチャートである。
【図５】本発明の実施形態における設定情報管理システムの設定情報管理装置、並びに、管理対象装置の、設定情報管理装置及び管理対象装置の一斉起動時の動作を説明するシーケンスチャートである。
【発明を実施するための形態】
【００２５】
以下、本発明の実施形態について図面を参照して詳細に説明する。尚、すべての図面において、同様な構成要素には同様の符号を付し、適宜説明を省略する。
【００２６】
図１は、本発明の実施形態における設定情報管理システムの構成、並びに、設定情報管理装置、及び、管理対象装置の内部構成を示すブロック図である。尚、ここでは、設定情報管理装置に接続された１台の管理対象装置を含む構成を例示しているが、本実施の形態はこれに限定されない。設定情報管理装置には、複数台の管理対象装置が接続されていてもよい。この場合、複数台の管理対象装置のそれぞれは、以下に説明する管理対象装置４０と同様に動作する。
【００２７】
本実施形態における設定情報管理システムは、設定情報管理装置３０と、管理対象装置４０とを備える。
【００２８】
設定情報管理装置３０は、１台以上の管理対象装置４０に接続される。設定情報管理装置３０は、保守者の操作により生成された設定情報更新要求を受信して、又は、設定情報管理装置３０に接続された他の装置から設定情報更新要求を受信して、管理対象装置４０に設定情報更新要求を送信する。
【００２９】
又は、設定情報管理装置３０は、管理対象装置４０から設定情報取得要求を受信して、管理対象装置４０に設定情報取得応答を送信する。
【００３０】
あるいは、設定情報管理装置３０は、管理対象装置４０に設定情報取得要求を送信して、管理対象装置４０から設定情報取得応答を受信する。
【００３１】
尚、他の装置は、例えば、簡易監視制御端末（ＣＩＴ；Craft Interface Terminal）、ＥＭＳ（Element Management System）、又は、ＮＭＳ（Network Management System）等であってもよい。
【００３２】
設定情報管理装置３０は、設定情報ファイル３４と、ファイル共有手段３３と、設定情報キャッシュ３２と、設定情報制御手段３１とを備える。
【００３３】
設定情報ファイル３４は、管理対象装置の起動時に必要な管理対象装置毎の設定情報を記憶保持に電源が不要な記憶媒体上に保持する。記憶保持に電源が不要な記憶媒体には、例えば、フラッシュメモリ、ハードディスク等が含まれる。つまり、設定情報ファイル３４は、設定情報管理装置３０の電源断時にも設定情報を保持できる。尚、例えば、複数の管理対象装置が１台の親装置に収容される場合、各管理対象装置は親装置に収容されるスロット番号等を識別子として識別される。又、各管理対象装置の設定情報も、例えば、スロット番号等を識別子として識別される。そして、設定情報は、スロット番号等を識別子として含む名前を持つファイルとして、又は、スロット番号等を識別子として含む名前を持つフォルダ内のファイルとして、保持される。
【００３４】
ファイル共有手段３３は、管理対象装置４０との間で、設定情報を共有する。ファイル共有手段３３は、設定情報ファイル３４の一部又は全部をファイル共有の対象とする。設定情報の共有は、例えば、ＮＦＳ（Network File System）、ＣＩＦＳ（Common Internet File System）、ＷｅｂＤＡＶ（Web-based Distributed Authoring and Versioning）等のファイル共有プロトコル（分散ファイルプロトコル、ファイルアクセスプロトコル）を用いて行うことができる。
【００３５】
設定情報キャッシュ３２は、設定情報ファイル３４から入手した、又は、ファイル共有手段３３を経由して管理対象装置４０から入手した、１台以上の管理対象装置の設定情報を設定情報管理装置３０の稼働時に保持する。そして、設定情報キャッシュ３２は、設定情報ファイル３４又は管理対象装置４０との間で、設定情報の同期を行う。
【００３６】
設定情報制御手段３１は、設定情報更新要求を受信して、新しい設定情報を設定情報キャッシュ３２に渡し、管理対象装置４０に設定情報更新通知を送信する。又は、設定情報制御手段３１は、設定情報管理装置３０が設定情報を持たない状態で起動すると、設定情報キャッシュ３２に設定情報を要求する。
【００３７】
管理対象装置４０は、設定情報管理装置３０に接続される。管理対象装置４０は、設定情報管理装置３０から設定情報取得要求を受信して、設定情報管理装置３０に設定情報取得応答を送信する。又、管理対象装置４０は、設定情報管理装置３０に設定情報取得要求を送信して、設定情報管理装置３０から設定情報取得応答を受信する。
【００３８】
管理対象装置４０は、設定情報ファイル４４と、ファイル共有手段４３と、設定情報キャッシュ４２と、設定情報制御手段４１とを備える。
【００３９】
設定情報ファイル４４は、管理対象装置４０の起動時に必要な設定情報を記憶媒体上に保持する。尚、設定情報ファイル４４が用いる記憶媒体は、記憶保持に電源が不要な記憶媒体のみでなく、記憶保持に電源が必要な記憶媒体であってもよい。記憶保持に電源が必要な記憶媒体には、例えば、ＤＲＡＭ（Dynamic Random Access Memory）、ＳＲＡＭ（Static Random Access Memory）等が含まれる。そのため、記憶保持に電源が必要な記憶媒体が用いられる場合には、設定情報ファイル４４は、管理対象装置４０の非稼働時には設定情報を保持できない。
【００４０】
ファイル共有手段４３は、例えば、上記のようなファイル共有プロトコルを利用して、設定情報管理装置３０との間で、設定情報を共有する。ファイル共有手段４３は、設定情報ファイル４４をファイル共有の対象とする。共有される設定情報ファイル４４の内容は、設定情報ファイル３４の一部又は全部の内容に対応する。
【００４１】
設定情報キャッシュ４２は、ファイル共有手段４３を経由して設定情報管理装置３０から入手した、管理対象装置４０の設定情報を管理対象装置４０の稼働時に保持する。そして、設定情報キャッシュ４２は、設定情報ファイル４４又は設定情報管理装置３０との間で、設定情報の同期を行う。
【００４２】
設定情報制御手段４１は、設定情報更新要求を受信して、新しい設定情報を設定情報キャッシュ３２に渡し、管理対象装置４０の設定を更新する。又は、設定情報制御手段３１は、管理対象装置４０が設定情報を持たない状態で起動すると、設定情報キャッシュ４２に設定情報を要求し、管理対象装置４０の設定を更新する。
【００４３】
尚、ここでは、管理対象装置４０を例に説明したが、複数の管理対象装置が存在する場合には、他の管理対象装置についても同様である。
【００４４】
次に、本実施形態の動作を説明する。尚、ここでは、管理対象装置４０を例に説明するが、複数の管理対象装置が存在する場合には、他の管理対象装置についても同様である。
【００４５】
図２は、本発明の実施形態における設定情報管理システムの設定情報管理装置、及び、管理対象装置の、設定情報更新時の動作を説明するシーケンスチャートである。
【００４６】
設定情報管理装置３０の設定情報制御手段３１は、保守者の操作により生成された設定情報更新要求を受信して、又は、設定情報管理装置３０に接続された他の装置から新しい設定情報を含む設定情報更新要求を受信し（ステップＳ１０１）、新しい設定情報を設定情報管理装置３０の設定情報キャッシュ３２に渡す（ステップＳ１０２）。
【００４７】
設定情報管理装置３０の設定情報キャッシュ３２は、新しい設定情報で設定情報管理装置３０の設定情報ファイル３４を更新する（ステップＳ１０３）。
【００４８】
設定情報管理装置３０の設定情報キャッシュ３２は、管理対象装置４０の設定情報キャッシュ４２に設定情報更新要求を送信する（ステップＳ１０４）。
【００４９】
管理対象装置４０の設定情報キャッシュ４２は、設定情報管理装置３０の設定情報キャッシュ３２から設定情報更新要求を受信する（ステップＳ２０１）。
【００５０】
管理対象装置４０の設定情報キャッシュ４２は、管理対象装置４０のファイル共有手段４３により新しい設定情報を取得して、管理対象装置４０の設定情報ファイル４４及びの設定情報キャッシュ４２の設定情報を更新する（ステップＳ２０２）。
【００５１】
設定情報管理装置３０の設定情報制御手段３１は、管理対象装置４０の設定情報制御手段４１に設定情報更新通知を送信する（ステップＳ１０５）。
【００５２】
管理対象装置４０の設定情報制御手段４１は、設定情報管理装置３０の設定情報制御手段３１から設定情報更新通知を受信し（ステップＳ２０３）、管理対象装置４０の設定を更新する（ステップＳ２０４）。
【００５３】
図３は、本発明の実施形態における設定情報管理システムの設定情報管理装置、及び、管理対象装置の、管理対象装置の交換又は増設時の動作を説明するシーケンスチャートである。
【００５４】
交換又は増設される管理対象装置４０のための設定情報は、管理対象装置４０の起動前に設定情報管理装置３０の設定情報ファイル３４に格納されている。
【００５５】
管理対象装置４０が交換又は増設された後に、設定情報を持たない状態で起動すると、管理対象装置４０の設定情報制御手段４１は、管理対象装置４０の設定情報キャッシュ４２に設定情報を要求する（ステップＳ２１１）。
【００５６】
管理対象装置４０の設定情報キャッシュ４２は、設定情報キャッシュ４２に設定情報が無いので、ファイル共有手段４３に設定情報を要求する（ステップＳ２１２）。
【００５７】
管理対象装置４０のファイル共有手段４３は、設定情報管理装置３０のファイル共有手段３３に設定情報取得要求を送信する（ステップＳ２１３）。
【００５８】
設定情報管理装置３０のファイル共有手段３３は、管理対象装置４０のファイル共有手段４３から設定情報取得要求を受信する（ステップＳ１１１）。
【００５９】
設定情報管理装置３０のファイル共有手段３３は、設定情報管理装置３０の設定情報ファイル３４から管理対象装置４０の設定情報を取得する（ステップＳ１１２）。
【００６０】
設定情報管理装置３０のファイル共有手段３３は、管理対象装置４０の設定情報を含む設定情報取得応答を管理対象装置４０のファイル共有手段４３に送信する（ステップＳ１１３）。
【００６１】
管理対象装置４０のファイル共有手段４３は、設定情報管理装置３０のファイル共有手段３３から設定情報取得応答を受信し、管理対象装置４０の設定情報キャッシュ４２に渡す（ステップＳ２１４）。
【００６２】
管理対象装置４０の設定情報キャッシュ４２は、ファイル共有手段４３から取得した設定情報で管理対象装置４０の設定情報ファイル４４及び設定情報キャッシュ４２の設定情報を更新し、管理対象装置４０の設定情報制御手段４１に設定情報の取得を通知する（ステップＳ２１５）。
【００６３】
管理対象装置４０の設定情報制御手段４１は、設定情報キャッシュ４２の設定情報を使って、管理対象装置４０の設定を更新する（ステップＳ２１６）。
【００６４】
図４は、本発明の実施形態における設定情報管理システムの設定情報管理装置、及び、管理対象装置の、設定情報管理装置の交換又は増設時の動作を説明するシーケンスチャートである。
【００６５】
交換又は増設される設定情報管理装置３０の起動前に、管理対象装置４０は起動している。
【００６６】
設定情報管理装置３０が交換又は増設された後に、設定情報を持たない状態で起動すると、設定情報管理装置３０の設定情報制御手段３１は、設定情報管理装置３０の設定情報キャッシュ３２に設定情報を要求する（ステップＳ１２１）。
【００６７】
設定情報管理装置３０の設定情報キャッシュ３２は、設定情報キャッシュ３２に設定情報が無いので、設定情報管理装置３０のファイル共有手段３３に設定情報を要求する（ステップＳ１２２）。
【００６８】
設定情報管理装置３０のファイル共有手段３３は、管理対象装置４０のファイル共有手段４３に設定情報取得要求を送信する（ステップＳ１２３）。
【００６９】
管理対象装置４０のファイル共有手段４３は、設定情報管理装置３０のファイル共有手段３３から設定情報取得要求を受信する（ステップＳ２２１）。
【００７０】
管理対象装置４０のファイル共有手段４３は、管理対象装置４０の設定情報ファイル４４から管理装置４０の設定情報を取得する（ステップＳ２２２）。
【００７１】
管理対象装置４０のファイル共有手段４３は、管理対象装置４０の設定情報を含む設定情報取得応答を設定情報管理装置３０のファイル共有手段３３に送信する（ステップＳ２２３）。
【００７２】
設定情報管理装置３０のファイル共有手段３３は、管理対象装置４０のファイル共有手段４３から設定情報取得応答を受信する（ステップＳ１２４）。
【００７３】
設定情報管理装置３０のファイル共有手段３３は、設定情報管理装置３０の設定情報キャッシュ３２に受信した設定情報を渡す（ステップＳ１２５）。
【００７４】
設定情報管理装置３０の設定情報キャッシュ３２は、ファイル共有手段３３から取得した管理対象装置４０の設定情報で設定情報管理装置３０の設定情報ファイル３４及び設定情報キャッシュ３２の設定情報を更新する（ステップＳ１２６）。
【００７５】
図５は、本発明の実施形態における設定情報管理システムの設定情報管理装置、及び、管理対象装置の、設定情報管理装置、及び、管理対象装置の一斉起動時の動作を説明するシーケンスチャートである。
【００７６】
一斉起動される管理対象装置４０のための設定情報は、設定情報管理装置３０の起動前に設定情報管理装置３０の設定情報ファイル３４に格納されている。
【００７７】
例えば、全装置のシャットダウン後に、全装置を一斉に起動すると、設定情報管理装置３０の設定情報制御手段３１は、設定情報管理装置３０の設定情報キャッシュ３２に設定情報を要求する（ステップＳ１３１）。
【００７８】
設定情報管理装置３０の設定情報キャッシュ３２は、設定情報キャッシュ３２に設定情報が無いので、ファイル共有手段３３に設定情報を要求する（ステップＳ１３２）。
【００７９】
設定情報管理装置３０のファイル共有手段３３は、管理対象装置４０のファイル共有手段４３に設定情報取得要求を送信する（ステップＳ１３３）。
【００８０】
管理対象装置４０のファイル共有手段４３は、設定情報管理装置３０のファイル共有手段３３から設定情報取得要求を受信する（ステップＳ２３１）。
【００８１】
管理対象装置４０のファイル共有手段４３は、管理対象装置４０の設定情報ファイル４４から管理対象装置４０の設定情報の取得を試みる（ステップＳ２３２）。
【００８２】
ステップＳ２３２では、設定情報ファイルが無いので、ファイル共有手段４３は、設定情報を取得できない。そのため、管理対象装置４０のファイル共有手段４３は、管理対象装置４０の設定情報を含まない設定情報取得応答を送信する（ステップＳ２３３）。
【００８３】
設定情報管理装置３０のファイル共有手段３３は、設定情報取得応答を受信し、設定情報キャッシュ３２に渡す（ステップＳ１３４）。
【００８４】
設定情報管理装置３０の設定情報キャッシュ３２は、設定情報管理装置３０のファイル共有手段３３を経由して設定情報取得応答の受信を検知し、設定情報が取得できないことを認識する（ステップＳ１３５）。
【００８５】
設定情報管理装置３０の設定情報キャッシュ３２は、設定情報管理装置３０の設定情報ファイル３４から管理対象装置４０の設定情報を読み出し、設定情報管理装置３０の設定情報ファイル３４の設定情報を更新する（ステップＳ１３６）。
【００８６】
以降、管理対象装置の交換又は増設時の動作（図３）を行う（ステップＳ２３４）。
【００８７】
以上説明したように、本実施形態における設定情報管理システムでは、設定情報管理装置は管理対象装置の設定情報を設定情報ファイルとして保持する。又、管理対象装置の交換又は増設時等、管理対象装置が設定情報を持たない状態で起動しても、管理対象装置は設定情報管理装置から設定情報を自動的にリストアする。又、設定情報管理装置の交換又は増設時等、設定情報管理装置の設定情報ファイルが失われた場合であっても、設定情報管理装置は、起動している管理対象装置から設定情報を自動的にバックアップする。又、設定情報管理装置、及び、全ての管理対象装置を一斉に再起動した場合にも、管理対象装置は設定情報管理装置から設定情報を自動的にリストアする。これらの結果、複数の管理対象装置の監視制御において、管理対象装置の設定情報を一元管理でき、管理対象装置の一般的な設定情報のバックアップ又はリストア作業を効率化することが可能である。
【００８８】
更に、設定情報ファイル４４が用いる記憶媒体は、記憶保持に電源が必要な記憶媒体であってもよい。その場合、設定情報管理装置が管理対象装置の設定情報を保持するので、監視対象装置が設定情報を保存するためにフラッシュメモリやハードディスク等の記憶保持に電源が不要な記憶媒体を備えることが不要である。その結果、監視対象装置のダウンサイジング又は製造コスト削減が可能であるという効果がある。
【００８９】
尚、本願発明は、上述の実施形態に限定されるものではなく、本願発明の要旨を逸脱しない範囲で種々変更、変形して実施することができる。
【符号の説明】
【００９０】
１０    設定情報管理装置
２０    管理対象装置
１３、２３    設定情報制御手段
１４、２４    設定情報キャッシュ
１２、２２    ファイル共有手段
１１、２１    設定情報ファイル
【図１】
2014082712.tif 000003
【図２】
2014082712.tif 000004
【図３】
2014082712.tif 000005
【図４】
2014082712.tif 000006
【図５】
2014082712.tif 000007